(57)【要約】【課題】電界伝達媒体を伝送路として利用する電界通信において上りと下りそれぞれの伝送路を評価することを課題とする。【解決手段】携帯情報端末３が備える上り計数部１０により上り経路で正常に伝送されたパケット数をカウントし、返信パケット生成部１１で上記カウント値を返信パケットに付加し、データ収集装置４へ下り経路で伝送する一方で、データ収集装置４が備える下り計数部１４により、下り経路で正常に伝送された返信パケット数を計数し、エラー率算出部１５で上り経路で伝送するパケットの総数及び下り経路で正常に伝送された返信パケット数及びこの返信パケット毎に付加された上記カウント値を基にして上り及び下り経路それぞれのエラー率を算出することができる。【選択図】図２
2007201608.tif 000002
【特許請求の範囲】
【請求項１】
電界伝達媒体を伝送路として第１及び第２の情報端末間でデータ伝送を行う電界通信の伝送路を評価する伝送路評価システムであって、
前記第１の情報端末は、受信するパケットのデータの期待値を記憶しておく第１の記憶手段と、
前記第２の情報端末から送信されたパケットを受信する受信手段と、
前記受信手段で受信したパケットのデータ及び前記期待値を比較して一致する場合に当該パケットを上り経路で正常に伝送されたものとして計数する上り計数手段と、
前記上り計数手段で計数したパケット数を、上り経路で正常に伝送されたパケットのデータに付加して返信パケットを生成する返信パケット生成手段と、
前記第２の情報端末へ前記返信パケットを送信する送信手段とを備え、
前記第２の情報端末は、送信するパケットのデータ及び送信するパケットの総数を上り経路で伝送するパケットの総数として記憶しておく第２の記憶手段と、
前記第１の情報端末との間で送信するパケットの総数分だけパケットを送信し、返信パケットを受信する送受信手段と、
前記送受信手段で受信した返信パケットのデータ及び前記送信するパケットのデータを比較して一致する場合に当該返信パケットを下り経路で正常に伝送されたものとして計数する下り計数手段と、
前記上り経路で伝送するパケットの総数及び前記下り経路で正常に伝送された返信パケット数及び当該返信パケット毎に付加されたパケット数を基にして、上り又は下りのうちの少なくとも一方の伝送経路のエラー率を算出するエラー率算出手段とを備えることを特徴とする伝送路評価システム。
【請求項２】
前記エラー率算出手段は、上り経路で伝送したパケットの総数として前記第２の記憶手段から送信するパケットの総数を読み出すとともに、上り経路で正常に伝送されたパケット数として前記下り経路で正常に伝送された返信パケット毎に付加されたパケット数の中から最大値を抽出し、
当該上り経路で伝送したパケットの総数及び当該上り経路で正常に伝送されたパケット数から上り経路のエラー率を算出することを特徴とする請求項１に記載の伝送路評価システム。
【請求項３】
前記エラー率算出手段は、下り経路で伝送された返信パケットの総数として前記下り経路で正常に伝送された返信パケット毎に付加されたパケット数の中から最大値を抽出し、
当該下り経路で伝送された返信パケットの総数及び前記下り計数手段で計数した下り経路で正常に伝送された返信パケット数から下り経路のエラー率を算出することを特徴とする請求項１又は２に記載の伝送路評価システム。
【請求項４】
電界伝達媒体を伝送路として第１及び第２の情報端末間でデータ伝送を行う電界通信の伝送路を評価する伝送路評価方法であって、
前記第１の情報端末において、受信するパケットのデータの期待値を第１の記憶手段に記憶しておくステップと、
受信手段により、前記第２の情報端末から送信されたパケットを受信するステップと、
上り計数手段により、前記受信手段で受信したパケットのデータ及び前記期待値を比較して一致する場合に当該パケットを上り経路で正常に伝送されたものとして計数するステップと、
返信パケット生成手段により、前記上り計数手段で計数したパケット数を、上り経路で正常に伝送されたパケットのデータに付加して返信パケットを生成するステップと、
送信手段により、前記第２の情報端末へ前記返信パケットを送信するステップとを備え、
前記第２の情報端末において、送信するパケットのデータ及び送信するパケットの総数を上り経路で伝送するパケットの総数として第２の記憶手段に記憶しておくステップと、
送受信手段により、前記第１の情報端末との間で送信するパケットの総数分だけパケットを送信し、返信パケットを受信するステップと、
下り計数手段により、前記送受信手段で受信した返信パケットのデータ及び前記送信するパケットのデータを比較して一致する場合に当該返信パケットを下り経路で正常に伝送されたものとして計数するステップと、
エラー率算出手段により、前記上り経路で伝送するパケットの総数及び前記下り経路で正常に伝送された返信パケット数及び当該返信パケット毎に付加されたパケット数を基にして、上り又は下りのうちの少なくとも一方の伝送経路のエラー率を算出するステップとを有することを特徴とする伝送路評価方法。
【請求項５】
前記エラー率算出手段によるステップにおいて、上り経路で伝送したパケットの総数として前記第２の記憶手段から送信するパケットの総数を読み出すとともに、上り経路で正常に伝送されたパケット数として前記下り経路で正常に伝送された返信パケット毎に付加されたパケット数の中から最大値を抽出し、
当該上り経路で伝送したパケットの総数及び当該上り経路で正常に伝送されたパケット数から上り経路のエラー率を算出することを特徴とする請求項４に記載の伝送路評価方法。
【請求項６】
前記エラー率算出手段によるステップにおいて、下り経路で伝送された返信パケットの総数として前記下り経路で正常に伝送された返信パケット毎に付加されたパケット数の中から最大値を抽出し、
当該下り経路で伝送された返信パケットの総数及び前記下り計数手段で計数した下り経路で正常に伝送された返信パケット数から下り経路のエラー率を算出することを特徴とする請求項４又は５に記載の伝送路評価方法。
【請求項７】
電界伝達媒体を伝送路として第１及び第２の情報端末間でデータ伝送を行う電界通信の伝送路を評価する伝送路評価システムにおける第１の情報端末であって、
受信するパケットのデータの期待値を記憶しておく記憶手段と、
前記第２の情報端末から送信されたパケットを受信する受信手段と、
前記受信手段で受信したパケットのデータ及び前記期待値を比較して一致する場合に当該パケット数を上り経路で正常に伝送されたものとして計数する上り計数手段と、
前記上り計数手段で計数した前記パケット数を、上り経路で正常に伝送されたパケットのデータに付加して返信パケットを生成する返信パケット生成手段と、
前記第２の情報端末へ前記返信パケットを送信する送信手段とを備えることを特徴とする情報端末。
【請求項８】
電界伝達媒体を伝送路として第１及び第２の情報端末間でデータ伝送を行う電界通信の伝送路を評価する第２の情報端末であって、
送信するパケットのデータ及び送信するパケットの総数を上り経路で伝送するパケットの総数として記憶しておく記憶手段と、
前記第１の情報端末との間で前記送信パケットの総数分だけパケットを送信し、返信パケットを受信する送受信手段と、
前記送受信手段で受信した返信パケットのデータ及び前記送信するパケットのデータを比較して一致する場合に当該返信パケットを下り経路で正常に伝送されたものとして計数する下り計数手段と、
前記上り経路で伝送するパケットの総数及び前記下り経路で正常に伝送された返信パケット数及び当該返信パケット毎に付加されたパケット数を基にして、上り又は下りのうちの少なくとも一方の伝送経路のエラー率を算出するエラー率算出手段とを備えることを特徴とする情報端末。
【請求項９】
前記エラー率算出手段は、上り経路で伝送したパケットの総数として前記第２の記憶手段から送信するパケットの総数を読み出すとともに、上り経路で正常に伝送されたパケット数として前記下り経路で正常に伝送された返信パケット毎に付加されたパケット数の中から最大値を抽出し、
当該上り経路で伝送したパケットの総数及び当該上り経路で正常に伝送されたパケット数から上り経路のエラー率を算出することを特徴とする請求項８に記載の情報端末。
【請求項１０】
前記エラー率算出手段は、下り経路で伝送された返信パケットの総数として前記下り経路で正常に伝送された返信パケット毎に付加されたパケット数の中から最大値を抽出し、
当該下り経路で伝送された返信パケットの総数及び前記下り計数手段で計数した下り経路で正常に伝送された返信パケット数から下り経路のエラー率を算出することを特徴とする請求項８又は９に記載の情報端末。
【発明の詳細な説明】
【技術分野】
【０００１】
本発明は、伝送路の評価技術に関し、特に人体などの電界伝達媒体を伝送路として利用する電界通信における伝送路の評価技術に関する。
【背景技術】
【０００２】
近年、人体などの電界伝達媒体を伝送路として利用する電界通信が注目されている。電界通信では、例えば図８に示すように携帯情報端末１００はそれぞれトランシーバ５を介して人間の腕、肩、胴体などに装着されて互いにデータの送受信を行うととともに、壁や床などに手足で触れられるように設置されたトランシーバ５ａ、５ｂとケーブルとを介して外部に設けられたパソコン６と通信を行う。
【０００３】
このような携帯情報端末１００間及び携帯情報端末１００とパソコン６間の電界通信に使用されるトランシーバ５は、例えばレーザ光と電気光学結晶を用いた電気光学的手法による信号検出技術を利用し、送信すべき情報に基づく電界を電界伝達媒体である生体に誘起させ、この誘起した電界を用いて情報の送受信を行う（例えば、特許文献１を参照）。
【０００４】
また、このようなトランシーバを内蔵した携帯情報端末などのコンピュータの開発段階では、人の腕に装着された携帯情報端末と、床に設置されたトランシーバを有するデータ収集装置との間で人体を介して伝送されたパケットのエラー率を算出し、伝送路がデータ通信に要求されるエラー率をクリアしているか検証する。
【０００５】
従来の伝送路評価用の携帯情報端末は、図９の構成図に示すように、トランシーバ５で受信したパケットを、コンピュータなどのパケット処理装置１０１を経由してそのまま返信パケットとして送り返す。これにより、データ収集装置は、携帯情報端末を経由して戻ってきたパケットのエラーを検出し、正常に戻ってきたパケットの数及び送信したパケットの総数から伝送路のエラー率を算出する。
【特許文献１】特開２００１−３５２２９８号公報
【発明の開示】
【発明が解決しようとする課題】
【０００６】
しかしながら、従来の電界通信における伝送路評価システムでは、データ収集装置で検出されたパケットエラーは、設置側から携帯端末側への上り経路で生じたのか携帯端末側から設置側への下り経路で生じたのか判別できず、上り経路と下り経路それぞれのエラー率を算出できないため、伝送路毎の評価ができないという問題があった。
【０００７】
本発明は、上記問題点に鑑み、電界伝達媒体を伝送路として利用する電界通信において上りと下りそれぞれの伝送路を評価することを課題とする。
【課題を解決するための手段】
【０００８】
第１の本発明に係る伝送路評価システムは、電界伝達媒体を伝送路として第１及び第２の情報端末間でデータ伝送を行う電界通信の伝送路を評価する伝送路評価システムであって、第１の情報端末は、受信するパケットのデータの期待値を記憶しておく第１の記憶手段と、第２の情報端末から送信されたパケットを受信する受信手段と、受信手段で受信したパケットのデータ及び期待値を比較して一致する場合にこのパケットを上り経路で正常に伝送されたものとして計数する上り計数手段と、上り計数手段で計数したパケット数を、上り経路で正常に伝送されたパケットのデータに付加して返信パケットを生成する返信パケット生成手段と、第２の情報端末へ返信パケットを送信する送信手段とを備え、第２の情報端末は、送信するパケットのデータ及び送信するパケットの総数を上り経路で伝送するパケットの総数として記憶しておく第２の記憶手段と、第１の情報端末との間で送信するパケットの総数分だけパケットを送信し、返信パケットを受信する送受信手段と、送受信手段で受信した返信パケットのデータ及び送信するパケットのデータを比較して一致する場合にこの返信パケットを下り経路で正常に伝送されたものとして計数する下り計数手段と、上り経路で伝送するパケットの総数及び下り経路で正常に伝送された返信パケット数及びこの返信パケット毎に付加されたパケット数を基にして、上り又は下りのうちの少なくとも一方の伝送経路のエラー率を算出するエラー率算出手段とを備えることを特徴とする伝送路評価システム。
【０００９】
本発明における上り経路とは第２の情報端末から第１の情報端末へのパケットの伝送経路をさし、下り経路とは第１の情報端末から第２の情報端末へのパケットの伝送経路をさす。また、情報端末とは、制御装置、演算装置、入力装置、出力装置、記憶装置などの要素を備え、プログラムに従って各種の処理を実行することが可能な情報処理機器をさし、例えばパソコン、携帯情報端末などが含まれる。
【００１０】
本発明にあっては、第１の情報端末が備える上り計数手段により上り経路で正常に伝送されたパケット数を計数し、返信パケット生成手段で上記パケット数を返信パケットに付加して第２の情報端末へ下り経路で伝送する一方で、第２の情報端末が備える下り計数手段により下り経路で正常に伝送された返信パケット数を計数し、エラー率算出手段により、上り経路で伝送するパケットの総数及び下り経路で正常に伝送された返信パケット数及びこの返信パケット毎に付加されたパケット数を基にして上り又は下りのうち少なくとも一方の伝送経路のエラー率を算出することで、上り経路、下り経路それぞれの伝送路の評価が可能となる。
【００１１】
上記伝送路評価システムにおけるエラー率算出手段は、上り経路で伝送したパケットの総数として第２の記憶手段から送信するパケットの総数を読み出すとともに、上り経路で正常に伝送されたパケット数として下り経路で正常に伝送された返信パケット毎に付加されたパケット数の中から最大値を抽出し、この上り経路で伝送したパケットの総数及びこの上り経路で正常に伝送されたパケット数から上り経路のエラー率を算出することを特徴とする。
【００１２】
本発明にあっては、エラー率算出手段により、上り経路で伝送したパケットの総数として第２の記憶手段から送信するパケットの総数を読み出すとともに、上り経路で正常に伝送されたパケット数として下り経路で正常に伝送された返信パケット毎に付加されたパケット数の中から最大値を抽出し、この上り経路で伝送したパケットの総数及びこの上り経路で正常に伝送されたパケット数から上り経路のエラー率を算出することで、上り経路の伝送路の評価が可能となる。
【００１３】
さらに、上記伝送路評価システムにおけるエラー率算出手段は、下り経路で伝送された返信パケットの総数として下り経路で正常に伝送された返信パケット毎に付加されたパケット数の中から最大値を抽出し、この下り経路で伝送された返信パケットの総数及び下り計数手段で計数した下り経路で正常に伝送された返信パケット数から下り経路のエラー率を算出することを特徴とする。
【００１４】
本発明にあっては、エラー率算出手段により、下り経路で伝送された返信パケットの総数として下り経路で正常に伝送された返信パケット毎に付加されたパケット数の中から最大値を抽出し、この下り経路で伝送された返信パケットの総数及び下り計数手段で計数した下り経路で正常に伝送された返信パケット数から下り経路のエラー率を算出することで、下り経路の伝送路の評価が可能となる。
【００１５】
第２の本発明に係る伝送路評価方法は、電界伝達媒体を伝送路として第１及び第２の情報端末間でデータ伝送を行う電界通信の伝送路を評価する伝送路評価方法であって、第１の情報端末において、受信するパケットのデータの期待値を第１の記憶手段に記憶しておくステップと、受信手段により、第２の情報端末から送信されたパケットを受信するステップと、上り計数手段により、受信手段で受信したパケットのデータ及び期待値を比較して一致する場合に当該パケットを上り経路で正常に伝送されたものとして計数するステップと、返信パケット生成手段により、前記上り計数手段で計数したパケット数を、上り経路で正常に伝送されたパケットのデータに付加して返信パケットを生成するステップと、送信手段により、第２の情報端末へ返信パケットを送信するステップとを備え、第２の情報端末において、送信するパケットのデータ及び送信するパケットの総数を上り経路で伝送するパケットの総数として第２の記憶手段に記憶しておくステップと、送受信手段により、第１の情報端末との間で送信するパケットの総数分だけパケットを送信し、返信パケットを受信するステップと、下り計数手段により、前記送受信手段で受信した返信パケットのデータ及び前記送信するパケットのデータを比較して一致する場合にこの返信パケットを下り経路で正常に伝送されたものとして計数するステップと、エラー率算出手段により、上り経路で伝送するパケットの総数及び下り経路で正常に伝送された返信パケット数及びこの返信パケット毎に付加されたパケット数を基にして、上り又は下りのうちの少なくとも一方の伝送経路のエラー率を算出するステップとを有することを特徴とする。
【００１６】
上記伝送路評価方法におけるエラー率算出手段によるステップにおいて、上り経路で伝送したパケットの総数として第２の記憶手段から送信するパケットの総数を読み出すとともに、上り経路で正常に伝送されたパケット数として下り経路で正常に伝送された返信パケット毎に付加されたパケット数の中から最大値を抽出し、この上り経路で伝送したパケットの総数及びこの上り経路で正常に伝送されたパケット数から上り経路のエラー率を算出することを特徴とする。
【００１７】
さらに上記伝送路評価方法におけるエラー率算出手段によるステップにおいて、下り経路で伝送された返信パケットの総数として下り経路で正常に伝送された返信パケット毎に付加されたパケット数の中から最大値を抽出し、この下り経路で伝送された返信パケットの総数及び下り計数手段で計数した下り経路で正常に伝送された返信パケット数から下り経路のエラー率を算出することを特徴とする。
【００１８】
第３の本発明に係るの情報端末は、電界伝達媒体を伝送路として第１及び第２の情報端末間でデータ伝送を行う電界通信の伝送路を評価する伝送路評価システムにおける第１の情報端末であって、受信するパケットのデータの期待値を記憶しておく記憶手段と、第２の情報端末から送信されたパケットを受信する受信手段と、受信手段で受信したパケットのデータ及び期待値を比較して一致する場合にこのパケット数を上り経路で正常に伝送されたものとして計数する上り計数手段と、上り計数手段で計数したパケット数を、上り経路で正常に伝送されたパケットのデータに付加して返信パケットを生成する返信パケット生成手段と、第２の情報端末へ返信パケットを送信する送信手段とを備えることを特徴とする。
【００１９】
本発明にあっては、上り計数手段により上り経路で正常に伝送されたパケット数を計数し、返信パケット生成手段で上記パケット数を返信パケットに付加して第２の情報端末へ下り経路で送信するようにしたことで、第２の情報端末において下り経路で正常に伝送された返信パケット数が計数され、上り経路で送信するパケット数及び下り経路で正常に伝送された返信パケット数及びこの返信パケット毎に付加されたパケット数を基にして上り又は下りのうち少なくとも一方の伝送経路のエラー率が算出され、上り経路、下り経路それぞれの伝送路の評価が可能となる。
【００２０】
第４の本発明に係るの情報端末は、電界伝達媒体を伝送路として第１及び第２の情報端末間でデータ伝送を行う電界通信の伝送路を評価する第２の情報端末であって、送信するパケットのデータ及び送信するパケットの総数を上り経路で伝送するパケットの総数として記憶しておく記憶手段と、第１の情報端末との間で送信パケットの総数分だけパケットを送信し、返信パケットを受信する送受信手段と、送受信手段で受信した返信パケットのデータ及び送信するパケットのデータを比較して一致する場合にこの返信パケットを下り経路で正常に伝送されたものとして計数する下り計数手段と、上り経路で伝送するパケットの総数及び下り経路で正常に伝送された返信パケット数及びこの返信パケット毎に付加されたパケット数を基にして、上り又は下りのうちの少なくとも一方の伝送経路のエラー率を算出するエラー率算出手段とを備えることを特徴とする。
【００２１】
上記情報端末におけるエラー率算出手段は、上り経路で伝送したパケットの総数として前記第２の記憶手段から送信するパケットの総数を読み出すとともに、上り経路で正常に伝送されたパケット数として下り経路で正常に伝送された返信パケット毎に付加されたパケット数の中から最大値を抽出し、この上り経路で伝送したパケットの総数及びこの上り経路で正常に伝送されたパケット数から上り経路のエラー率を算出することを特徴とする。
【００２２】
さらに、上記情報端末におけるエラー率算出手段は、下り経路で伝送された返信パケットの総数として下り経路で正常に伝送された返信パケット毎に付加されたパケット数の中から最大値を抽出し、この下り経路で伝送された返信パケットの総数及び下り計数手段で計数した下り経路で正常に伝送された返信パケット数から下り経路のエラー率を算出することを特徴とする。
【発明の効果】
【００２３】
本発明によれば、人体などの電界伝達媒体を伝送路として利用する電界通信において上りと下りそれぞれの伝送路を評価することが可能になる。
【発明を実施するための最良の形態】
【００２４】
以下、本発明の一実施の形態について、図面を用いて説明する。
【００２５】
図１は、本実施の形態に係る伝送路評価システムの構成を示す説明図である。同図に示すように、伝送路評価システム１は、例えばトランシーバを介して人間の腕に装着され第１の情報端末としての携帯情報端末３、床に設置されたトランシーバに接続された第２の情報端末としてのデータ収集装置４で構成される。
【００２６】
ここでは電界伝達媒体である人体２を伝送路として、データ収集装置４から上り経路で送信されたパケットが携帯情報端末３を経由して返信パケットとして送り返され、データ収集装置４で受信した返信パケットを解析することで伝送路を評価する。ここで上り経路とはデータ収集装置４から携帯情報端末３へのパケットの伝送経路をさし、下り経路とは携帯情報端末３からデータ収集装置へのパケットの伝送経路をさす。
【００２７】
次に携帯情報端末３の構成について図２を用いて説明する。同図に示すように携帯情報端末３は、トランシーバ５ａと、メモリ８と、記憶部９と、上り計数部１０と、返信パケット生成部１１とを備える。
【００２８】
トランシーバ５ａは、データ収集装置４のトランシーバ５ｂから送信されたパケットを受信する受信手段として機能するとともに、トランシーバ５ｂへ返信パケットを送信する送信手段として機能する。
【００２９】
メモリ８は、トランシーバ５ａで受信する受信パケットのデータを一時的に蓄えておく。
【００３０】
記憶部９は、受信するパケットのデータの期待値及び上り経路で正常に伝送されたパケット数をカウンタ値として記憶しておく。ここで例えばパケットのデータの期待値は予め評価テストの前に設定されているものとする。
【００３１】
上り計数部１０は、トランシーバ５ａで受信したパケットのデータ及び期待値を比較して一致する場合にこのパケットを上り経路で正常に伝送されたものとして計数する。ここでは、メモリ８から受信パケットのデータを、記憶部９からパケットのデータの期待値をそれぞれ読み出し、両者を比較して一致していれば、パケット数を計数する。計数したパケット数は図示しないメモリに一時的に格納された後に記憶部９のカウンタ値に書き込まれ、受信パケットのデータは返信パケット生成部１１に出力される。
【００３２】
返信パケット生成部１１は、上り計数部１０で計数したパケット数を、上り経路で正常に伝送されたパケットのデータに付加して返信パケットを生成する。ここでは返信パケットのデータには上り計数部１０から入力された受信パケットのデータを使用するとともに、記憶部９からカウンタ値に書き込まれたパケット数を読み出し、返信パケットのフッタ部のパケットＩＤに送信先や送信元などのアドレス情報と共に付加して返信パケットを生成する。生成した返信パケットは図示しないメモリに一時的に格納された後にトランシーバ５ａに出力される。
【００３３】
尚、上記メモリ８、記憶部９、上り計数部１０、返信パケット生成部１１は、制御装置、演算装置、入力装置、出力装置、記憶装置などの要素を備え、プログラムに従って各種の処理を実行することが可能なコンピュータ７で実現される。
【００３４】
次にデータ収集装置の構成について図３を用いて説明する。同図に示すようにデータ収集装置４は、床に設置されたトランシーバ５ｂと、トランシーバ５ｂに接続されたケーブルを介して外部に設けられ、メモリ１２、記憶部１３、下り計数部１４、エラー率算出部１５、パケット送信部１６を備えたパソコン６とで構成される。
【００３５】
記憶部１３は、送信するパケットのデータ及び送信パケット数を上り経路で伝送するパケットの総数として記憶しておく。ここで例えば評価テスト開始時に、送信するパケットのデータと送信パケット数を設定するものとする。
【００３６】
トランシーバ５ｂは、携帯情報端末３との間で送信するパケットの総数分だけパケットを送信し、返信パケットを受信する送受信手段として機能する。
【００３７】
メモリ１２は、トランシーバ５ｂで受信した返信パケットを一時的に記憶しておく。
【００３８】
パケット送信部１６は、送信するパケット数だけ送信パケットをトランシーバ５ｂに出力する。ここでは評価テストが開始されると、記憶部１３から送信するパケットのデータと送信パケット数を読み出し、送信するパケットの数だけ送信パケットをトランシーバ５ｂに出力する。
【００３９】
下り計数部１４は、トランシーバ５ｂで受信した返信パケットのデータ及び送信するパケットのデータを比較し一致する場合にこの返信パケットを下り経路で正常に伝送されたものとして計数する。ここではメモリ１２から受信した返信パケットのデータを読み出すとともに、記憶部１３から送信するパケットのデータを読み出し、両者を比較し一致する場合には、この返信パケットを下り経路で正常に伝送されたものとして計数し、計数した値を図示しないメモリに一時的に格納する。
【００４０】
エラー率算出部１５は、上り経路で伝送するパケットの総数及び下り経路で正常に伝送された返信パケット数及びこの返信パケット毎に付加されたパケット数を基にして、上り又は下りのうちの少なくとも一方の伝送経路のエラー率を算出する。ここでは記憶部１３から上り経路で伝送するパケットの総数を読み出すとともに、下り計数部１４で計数した下り経路で正常に伝送された返信パケット数及びこの返信パケット毎に付加されたパケット数を使用して伝送経路のエラー率を算出する。
【００４１】
ここで、メモリ１２、記憶部１３、下り計数部１４、エラー率算出部１５、パケット送信部１６を備えたパソコン６は、制御装置、演算装置、入力装置、出力装置、記憶装置などの要素を有し、プログラムに従って各種の処理を実行することで実現される。
【００４２】
次に携帯情報端末とデータ収集装置が備えるトランシーバ内部の具体的な構成について図４を用いて説明する。同図に示すトランシーバ５は、送信すべき情報に基づく電界を電界伝達媒体に誘起させるとともに誘起された電界を検出する光学式電界センサーを使用してパケットの送受信を行う。
【００４３】
トランシーバ５は受信時において、人体２に誘起されて伝達されてくる電界を、誘電体膜１７で覆われた送受信電極１８で検出し、この電界を電界検出光学部５０１に結合して電気信号に変換するようになっている。そして、この電気信号は、信号処理回路５０２で増幅、雑音除去などの信号処理を施され、更に波形整形回路５０３で波形整形されてから、入出力（Ｉ／Ｏ）回路５０４を介してコンピュータ７に出力されるようになっている。
【００４４】
また、トランシーバ５は送信時において、コンピュータ７からの送信データを入出力（Ｉ／Ｏ）回路５０４を介して受け取ると、この送信データを、送信部５０５を介して送受信電極１８に供給し、この送受信電極１８及び誘電体膜１７を介して人体２に電界を誘起させ、この電界を伝達させるようになっている。
【００４５】
次に、伝送路評価システム１で行う伝送路の評価処理について図を用いて具体的に説明する。まず、携帯情報端末３とデータ収集装置４間のデータ伝送で使用するパケットは図５に示すようなデータ構造を有しており、データ本体とパケットＩＤで構成される。
【００４６】
データ本体に格納されたデータは、携帯情報端末３の上り計数部１０及びデータ収集装置４の下り計数部１４においてデータの期待値との比較に使用される。
【００４７】
パケットＩＤは、パケットのフッタ部に位置し、送信先や送信元などのアドレス情報と共に上り経路で正常に伝送されたパケット数が格納される。テスト開始直後には、データ収集装置４から携帯情報端末３へ伝送されるパケットのパケットＩＤのパケット数を示すフィールドには、例えばＮＵＬＬコードが挿入されているものとする。
【００４８】
次に、携帯情報端末３の処理について図６のフローチャートを参照しながら具体的に説明する。
【００４９】
ステップ１：予め受信するパケットのデータの期待値を記憶部９に記憶しておく。テストが開始されると、記憶部９に記憶する正常に伝送されたパケット数を示すカウンタの値をゼロに初期化する。
【００５０】
ステップ２：トランシーバ５ａにより、データ収集装置４から送信されたパケットを受信する。
【００５１】
ステップ３：上り計数部１０により、トランシーバ５ａで受信したパケットのデータ及び期待値を比較して一致する場合にこのパケットを上り経路で正常に伝送されたものとして計数する。ここでは、メモリ８から受信パケットのデータを、記憶部９からパケットのデータの期待値をそれぞれ読み出し、両者を比較して一致していれば、記憶部９のカウンタ値をインクリメントし、一致していなければデータを破棄する。
【００５２】
ステップ４：返信パケット生成部１１により、上り計数部１０で計数したパケット数を、上り経路で正常に伝送されたパケットのデータに付加して返信パケットを生成する。ここでは返信パケットのデータには上り計数部１０から入力された受信パケットのデータを使用するとともに、記憶部９からカウンタ値に書き込まれたパケット数を読み出し、返信パケットのフッタ部のパケットＩＤに送信先や送信元などのアドレス情報と共に付加して返信パケットを生成する。
【００５３】
ステップ５：トランシーバ５ａにより、データ収集装置４へ返信パケットを送信する。
【００５４】
続いて、データ収集装置４の処理について図７のフローチャートを参照しながら具体的に説明する。
【００５５】
ステップ１：評価テスト開始時に、送信するパケットのデータ及び送信パケット数を上り経路で伝送するパケットの総数として記憶部１３に記憶する。ここで例えば上り経路で伝送するパケットの総数ｎは１００個とする。ここで下り計数部１４で計数されるカウンタの値がゼロにリセットされる。
【００５６】
ステップ２：トランシーバ５ｂにより、携帯情報端末３との間で送信するパケットの総数分だけパケットを送信する。ここではパケット送信部１６が、記憶部１３からｎ＝１００個のパケットのデータを読み出し、送信パケットをトランシーバ５ｂに出力する。
【００５７】
パケットは人体を伝送路として上り経路で伝送され、携帯情報端末３で生成された返信パケットが下り経路で伝送される。
【００５８】
ステップ３：トランシーバ５ｂにより、携帯情報端末３のトランシーバ５ａからの返信パケットを受信する。受信した返信パケットはメモリ１２に記憶される。
【００５９】
ステップ４：下り計数部１４により、トランシーバ５ｂで受信した返信パケットのデータ及び送信するパケットのデータを比較し一致する場合にこの返信パケットを下り経路で正常に伝送されたものとして計数する。ここではメモリ１２から受信した返信パケットのデータを読み出すとともに、記憶部１３から送信するパケットのデータを読み出し、両者を比較し一致する場合には、この返信パケットを下り経路で正常に伝送されたものとしてカウンタの値をインクリメントする。一致しない場合には、この返信パケットを廃棄し次の返信パケットを比較する。
【００６０】
このようにして受信した返信パケット全てに対して比較を行いカウンタの値を更新していく。その結果、下り経路で正常に伝送された返信パケットの総数ｋは例えばｋ＝８０個とする。
【００６１】
ステップ５：エラー率算出部１５により、上り経路で伝送するパケットの総数ｎ及び下り経路で正常に伝送された返信パケット数ｋ及びこの返信パケット毎に付加されたパケット数を基にして、上り及び下りの伝送経路のエラー率を算出する。
【００６２】
最初に、上り経路のエラー率ＥＲＵＰの算出について説明する。上り経路で伝送したパケットの総数ｎとして記憶部１３から送信するパケットの総数ｎ＝１００を読み出すとともに、上り経路で正常に伝送されたパケット数ｍとして、ステップ４において下り経路で正常に伝送された返信パケット毎に付加されたパケットＩＤのカウント値の中から最大値を抽出する。ここで例えばパケットＩＤのカウント値の最大値はｍ＝９０とする。
【００６３】
よって、上り経路のエラー率ＥＲＵＰ（％）は、上り経路で伝送されたパケットの総数ｎと正常に伝送されたパケットの数ｍから次式（１）のように表される。
【００６４】
ＥＲＵＰ  ＝  （（ｎ  −  ｍ）  ／  ｎ）×  １００       ・・・（１）
次に、下り経路のエラー率ＥＲＤＯＷＮの算出について説明する。下り経路で伝送された返信パケットの総数ｊとして、ステップ４において下り経路で正常に伝送された返信パケット毎に付加されたパケットＩＤのカウント値の中から最大値ｊ＝９０を抽出する。よって、下り経路のエラー率ＥＲＤＯＷＮ（％）は、この下り経路で伝送された返信パケットの総数ｊ及び下り計数手段で計数した下り経路で正常に伝送された返信パケット数ｋから次式（２）のように表される。
【００６５】
ＥＲＤＯＷＮ  ＝  （（ｊ  −  ｋ）  ／  ｊ）×  １００      ・・・（２）
式（１）、（２）を計算することで、上り経路のエラー率ＥＲＵＰ及び下り経路のエラー率ＥＲＤＯＷＮが算出される。上記の例で式（１）、（２）を計算すると、上り経路のエラー率ＥＲＵＰは１０％、下り経路のエラー率ＥＲＤＯＷＮは１１％となり、上り経路及び下り経路それぞれの伝送路の評価が可能となる。
【００６６】
したがって、本実施の形態によれば、携帯情報端末３が備える上り計数部１０により上り経路で正常に伝送されたパケット数をカウントし、返信パケット生成部１１で上記カウント値を返信パケットに付加し、データ収集装置４へ下り経路で伝送する一方で、データ収集装置４が備える下り計数部１４により、下り経路で正常に伝送された返信パケット数を計数し、エラー率算出部１５で上り経路で伝送するパケットの総数及び下り経路で正常に伝送された返信パケット数及びこの返信パケット毎に付加された上記カウント値を基にして上り及び下り経路それぞれのエラー率を算出することができる。
【００６７】
これにより、人体などの電界伝達媒体を伝送路として利用する電界通信において上りと下りそれぞれの伝送路を評価することが可能になる。
【００６８】
また、本実施の形態によれば、エラー率算出部１５により、上り経路で伝送したパケットの総数ｎとして記憶部１３から送信するパケットの総数１００を読み出すとともに、上り経路で正常に伝送されたパケット数ｍとして、ステップ４において下り経路で正常に伝送された返信パケット毎に付加されたパケットＩＤのカウント値の中から最大値を抽出することで、上り経路で伝送されたパケットの総数ｎと正常に伝送されたパケットの数ｍから上り経路のエラー率ＥＲＵＰ（％）を算出することができる。
【００６９】
一方で下り経路で伝送された返信パケットの総数ｊとして、ステップ４において下り経路で正常に伝送された返信パケット毎に付加されたパケットＩＤのカウント値の中から最大値９０を抽出することで、下り経路で伝送された返信パケットの総数ｊ及び下り計数手段で計数した下り経路で正常に伝送された返信パケット数ｋから下り経路のエラー率ＥＲＤＯＷＮ（％）を算出することができる。
【００７０】
尚、本実施の形態においては、エラー率算出部１５により、上りと下りの両方の伝送路を算出したが、どちらか一方の伝送経路のみを必要に応じて算出するようにしてもよい。
【００７１】
尚、上記の実施の形態においては、第２の情報端末としてのデータ収集装置には、床に設置したトランシーバと接続されたコンピュータにはパーソナルコンピュータを使用し、第１の情報端末としての携帯情報端末と人体を介して通信を行うようにしたが、これに限られるものではなく、例えば、第２の情報端末も携帯型の情報端末を使用し、人体に装着して第１の情報端末との間で通信を行う構成にしてもよい。
【００７２】
上記の実施の形態においては、電界伝達媒体として人体を伝送路として利用した場合の電界通信の伝送路評価を行ったが、これに限定されるものではなく、人体だけでなく金属や誘電体などの電界伝達媒体を伝送路として使用した電界通信の伝送路評価に応用してもよい。
【図面の簡単な説明】
【００７３】
【図１】本実施の形態に係る伝送路評価システムの構成を示す説明図である。
【図２】図１の携帯情報端末の概略的な構成を示す構成図である。
【図３】図１のデータ収集装置の概略的な構成を示す構成図である。
【図４】伝送路評価システムにおける携帯情報端末とデータ収集装置がそれぞれ備えるトランシーバ内部の構成図である。
【図５】伝送路評価システムにおいて使用されるパケットのデータ構造を示す説明図である。
【図６】伝送路評価システムにおける携帯情報端末の処理を示すフローチャートである。
【図７】伝送路評価システムにおけるデータ収集装置の処理を示すフローチャートである。
【図８】トランシーバを介して携帯情報端末を人間に装着して電界通信を行う場合の例を示す説明図である。
【図９】従来の伝送路評価用の携帯情報端末の概略的な構成を示す構成図である。
【符号の説明】
【００７４】
１…伝送路評価システム
２…人体
３…携帯情報端末
４…データ収集装置
５、５ａ、５ｂ…トランシーバ
６…パソコン
７…コンピュータ
８…メモリ
９…記憶部
１０…上り計数部
１１…返信パケット生成部
１２…メモリ
１３…記憶部
１４…下り計数部
１５…エラー率算出部
１６…パケット送信部
１７…誘電体膜
１８…送受信電極
１００…携帯情報端末
１０１…パケット処理装置
５０１…電界検出光学部
５０２…信号処理回路
５０３…波形整形回路
５０４…入出力（Ｉ／Ｏ）回路
５０５…送信部
【図１】
2007201608.tif 000003
【図２】
2007201608.tif 000004
【図３】
2007201608.tif 000005
【図４】
2007201608.tif 000006
【図５】
2007201608.tif 000007
【図６】
2007201608.tif 000008
【図７】
2007201608.tif 000009
【図８】
2007201608.tif 000010
【図９】
2007201608.tif 000011